Podtech/llm-jp-corpus-v4-ja_patent huggingface dataset:
(57)【要約】【課題】従来より、お年寄りや病人など体の不自由な人向けの生活補助具としてまた介護用としてリフトやクレーンを利用した補助機械がある。被介護人を介護する場合、機高が高いほど吊り上げ行程が楽であるが、高ければ出入口等の出入りが普通の家庭では難しい、と言って低ければ出入口等は通っても吊り上げる高さに吊り上らない。【解決手段】一対の支柱２と支柱の上端間に架設したレール１からなる門型フレームに特殊トロリーを水平移動自在に取り付け、各々の支柱は安定を確保するためにＡ型の構造をしており、支柱の足先にはそれぞれ自由車輪が取り付けられており、台車全体を自由に移動させることができる介護用リフト付台車。【選択図】  図１
2013094349.tif 000002
【特許請求の範囲】
【請求項１】
索引具（電気チエンブロック）を介護台車上端部に取り付けたことによりダ台車の機高をより低く抑え、被介護人の吊り上げ幅を特殊トロリーによりより高く上げることを可能にし、ベッド上で抱きかかえる作業をなくして介護による腰痛の心配をなくしたことを特徴とする介護用リフト付台車。
【請求項２】
特殊トロリーにより被介護人を吊り上げたまま移動または電動にて楽に左右に移動でき、介護人の労力を劇的にカットしたことを特徴とする介護用リフト付台車。
【発明の詳細な説明】
【技術分野】
【０００１】
本発明は、要介護者を介護用リフトにて吊り上げて移動する際に用いられる介護リフト付台車に関するものである。
【背景技術】
【０００２】
従来よりお年寄りや病人など、体の不自由な人には生活補助としてまた介護用としてリ
フトやクレーンを利用した補助機械がある、例えば一般的日本家屋に設置するためにでき
るだけ高い所に格納できるように工夫されたもの(特開2004-089427)、またレールごと天
井に取り付けたもの(特開2001-212187)などがある。
【先行技術文献】
【特許文献】
【０００３】
【特許文献１】特開2004-089427号公報
【特許文献２】特開2001-212187号公報
【発明の概要】
【発明が解決しようとする課題】
【０００４】
しかしながら、上記のものは確かに高い所に格納できるため健常者である介護人にかかる負担は減り便利であるが、非介護人には高い所へ行けても何の利益もない、非介護人にとっては限定的である横の動きから解放されることこそが最大の利益といえる。病人又は老人、身体不自由人の寝て居る上より吊具を取り付ける吊具であって、吊り上げた姿勢が車椅子、腰掛け、トイレ、お風呂などにマッチした腰かけ状態で吊り上げる吊り機と吊り具が望まれている。
また被介護人を介護する場合、機高が高いほど吊り上げ行程が楽であるが、高ければ出入口等の出入りが普通の家庭では難しい、と言って低ければ出入口等は通っても吊り上げる高さに吊り上らない。これを解決するため各図にあるように製造し、低い出入口等も通過出来るようにして、介護人の労力も削減できる。
【課題を解決するための手段】
【０００５】
老人または患者が寝たままの状態の上部より本吊具を取付バンドで固定し、車いすやトイレ等体をＮ字型に成るよう吊具を使用介護人の安全と重労働より開放し患者または老人も快適に行動できる。被介護者の体の前方側に取り付ける介護リフト用吊り機であって、該介護リフト用吊り具は、被介護者の頭部固定部と胸腹固定部と腿部固定部と、該胸腹固定部から被介護者の前方側に延長して設けられたフック部とを有し、該各固定部と被介護者とを各々バンドにて固定し、該フック部にて介護リフトと接続することを特徴とする介護リフト付き台車である。
【発明の効果】
【０００６】
本発明は吊り具を被介護者の体の胸部等表側に取り付けることにより、被介護者を抱きかかえることなく、被介護者を移動させることができる吊り機である。
本発明の吊り機で被介護者をベッド等から吊り上げると、椅子に腰かけたままの姿勢で吊り上げることができるので、介護の３大目的であるトイレ、車椅子の乗り降り、風呂の出入りが簡単にできるようになり、介護人の負担が大幅に減じ、したがって腰痛にもなりにくい。また上下左右移動が楽に出来る台車なので、他の病室へも楽に移動して使用することができる。
本発明は介護人が労働時に腰痛になって退職してしまう危機をなくして、理想的な家庭介護を促進する効果がある。
【図面の簡単な説明】
【０００７】
【図１】本発明の全体図
【図２】本発明の吊り上げ下げを説明する図
【図３】本発明の左右移動を説明する図
【図４】本発明に用いる特殊トロリーの動作を説明する図
【図５】本発明フレーム部の側面図
【発明を実施するための形態】
【０００８】
本発明の実施の形態を図面を使いながら説明する。
図１は本発明の介護用リフト付台車の全体図と各部の名称を説明するものである。一対の支柱２と支柱の上端間に架設したレール１からなる門型フレームに特殊トロリーを水平移動自在に取り付ける。図５に見るように各々の支柱は安定を確保するためにＡ型の構造をしており、支柱の足先にはそれぞれ自由車輪が取り付けられており、台車全体を自由に移動させることができる。またレールと並行してのレール下方の支柱間にチエンが架設されており、そのチエン上に特殊トロリーが介装されている。チエンは一端が片側の支柱に固定され、多端側は他方の支柱近くのレールから吊り下げられた索引具（電気チエンブロック）に巻き取られている。チエンは索引具（電気チエンブロック）から下方のチエンローラーへと降り（チエン１）、次いでレール直下のローラーへと上がり（チエン２）、次いでからレールと並行に特殊トロリーへと入り込み（チエン３）、特殊トロリーから垂直に下に降りて被介護人の吊具を吊り下げて（チエン４）、また垂直に上に上り（チエン５）特殊トロリーへと入り込んでからレールと並行にチエン固定部へと続く（チエン６）。
図２により吊具の上下動機構を説明する。台車の上部レール下端に固定された索引機（電気チエンブロック）を巻き上げると、チエン２が下がり、したがってチエン３が索引機側に移動することによりチエン４上に上がり、被介護人を吊り下げるフック（吊具）が上昇します。この間チエン５は動かず特殊トロリーは左右に移動しません。逆に索引機（電気チエンブロック）を巻き下げるとチエン４が下がり、被介護人もフック（吊具）も下がります。
図３及び図４により吊具の左右移動機構を説明する。また索引機（電気チエンブロック）を止めた状態で、特殊トロリーを左右に手または電動トロリーで動かしてもチエンが伸縮しないため、簡単に左右に移動できる。また特殊トロリー内のチエンの巻き取り機構は図４を参照。
また台車上部のレールに索引機（電気チエンブロック）を吊り下げたことにより、機高を大幅に低くしかつ被介護人を高く吊り上げることができ、また介護人の労力を大幅に削減することができる。
本機の使用により介護人の労力、特に介護人の腰痛が激減する。また機高が一般市民の家屋にも使用可能のため、一番望ましい家庭介護が楽に出来る。車椅子、トイレ、風呂等の介護に最適である。また上下、前後左右に楽に移動可能である。
【符号の説明】
【０００９】
１  レール
２  支柱
【図１】
2013094349.tif 000003
【図２】
2013094349.tif 000004
【図３】
2013094349.tif 000005
【図４】
2013094349.tif 000006
【図５】
2013094349.tif 000007
(57)【要約】      （修正有）【課題】蘚苔類を、効率よく環境浄化に使用する技術を提供する。【解決手段】蘚苔類を培養して、その有世世代の植物体、培地を、汚染地域の対象物件の重量比で１００分の１以下使用する蘇苔頬による汚染改善方法。【選択図】なし【特許請求の範囲】
【請求項１】
蘚苔類を培養して、その有世世代の植物体、培地を分別せずに、汚染地域の広狭に応じて、その重量の１００分の１以下の比率で使用する蘚苔類による汚染改善方法。
【発明の詳細な説明】
【技術分野】
【０００１】本発明は、ツノゴケ類、苔類、蘚類などの下等植物を用い、汚泥、土質、汚水、廃水、下水を処理する技術であり、これらの蘚苔類の生物的作用により汚染された原物質の有害物質が蘚苔類に吸着され、放射性物質の除去にも利用出来る。
【背景技術】
【０００２】京都の苔寺（西芳寺）に見られるように、蘚苔類が環境に及ぼす影響は非常に大きい。
しかし、現実では庭園などに用いられる程度で、汚染された土質、廃水などの処理には利用されていない。【０００３】
【特許文献１】  特開２００６−２１９３７２
【特許文献２】  特開平１１−２２６３５１
【発明の開示】
【発明が解決しようとする課題】
【０００４】汚染された地域の土、廃水、廃棄物などを蘚苔類で浄化する技術の確立。
【課題を解決するための手段】
【０００５】本発明は、蘚苔類を用いて環境を浄化すために、蘚苔類の発育過程を管理し、その有世世代を効果的に利用するものである。
【発明の効果】
【０００６】本発明は、蘚苔類の生命力を利用して環境の浄化をはかるもので、経済的に他の浄化技術より安価に効率よく成果が得られる。
【発明を実施するための最良の形態】
【０００７】本発明は、蘚苔類の生活が有世世代と無世世代にわかれていることを利用するものである。
【実施例】
【０００８】ゼニゴケは、有世世代と無世世代が規則正しく交代してあらわれる。
ゼニゴケは雌雄異株であるが、受精卵は発育して無世世代の造胞体になる。造胞体は葉状体に寄生し養分をとるが、この状態のゼニゴケには環境浄化能力はほとんどなく、造胞体の胞子はやがて発芽して原糸体になる。
本発明は、これから成育する有世世代のゼニゴケを培養して汚染地域に散布するもので、配布する量はその地域の汚染度により決定する。【０００９】ゼニゴケの他、ツノゴケ、ミズゼニゴケ、マキノゴケ、クモノスゴケなど他の蘚苔類でも環境浄化能力はあるが、その環境地域の状況に応じて、蘚苔類培養物の使用量を決定する。また、これらの蘚苔類の培養方法は公知で、特に記載することは無いが、蘚苔類の種類により培養成分が異なることは当然であり、環境浄化能力にも差異を生ずる。
【産業上の利用可能性】
【００１０】本発明は、古くから人間の生活に取り入れられているコケなどの蘚苔類を利用して環境の浄化を行うもので、蘚苔類は植物であり、成育も早く、寒熱の環境変化にも強いので環境汚染物質の除去に有効で、最近、問題の放射性物質の吸着、排除も期待される。
(57)【要約】【課題】  従来の発泡樹脂シートの折箱枠の足クリ装置の熱刃による製造では、熱による材料の変形、変色が現出する、煙もＣＯ2も発生する、電力の消費も大きい、という問題がある。【解決手段】  本発明では、発泡樹脂シートの折箱枠を積み重ねておき、自動的に最下部のシートを一枚ずつ、シリンダ等で押し切り位置まで水平に押出し、トムソン抜型といわれるカッター刃をシリンダ等で下降させ、押し切りする。そのため本装置では、熱による材料の変形、変色もなく、煙もＣＯ2も発生しない、電力の消費も少ない。【選択図】        図１
2013094887.tif 000002
【特許請求の範囲】
【請求項１】
木製のベース型に任意な形状のナイフ状のカッター刃を埋め込んだ、いわゆるトムソン抜型といわれるカッター刃の押し切りにより、発泡樹脂シートの折箱用枠の足クリすることを特徴とする足クリのカッター刃。
【請求項２】
請求項１記載のカッター刃を使用することを特徴とする足クリ装置。
【請求項３】
発泡樹脂シートの折箱用枠を積み重ねておき、自動的に最下部の折箱用枠を一枚ずつ、シリンダ等で押し切り位置まで水平に押出し、その位置でカッター刃をシリンダ等で下降させ、押し切りすることを特徴とする、請求項１、請求項２記載の足クリ装置。
【発明の詳細な説明】
【技術分野】
【０００１】
本発明は、発泡樹脂シートの折箱用枠の足クリ装置に関する。
【背景技術】
【０００２】
従来、発泡樹脂シートの折箱用枠の足クリ装置には、熱刃を利用した装置が報告されている。（例えば、特許文献１）
【先行技術文献】
【特許文献】
【０００３】
【特許文献１】特開昭５９−１７１６３０号公報
【発明の概要】
【発明が解決しようとする課題】
【０００４】
しかしながら、上述した従来の熱刃による折箱用枠の足クリでは、熱による材料の変形、変色が現出する、煙もＣＯ2も発生する、電力の消費も大きい、という問題がある。
【０００５】
本発明は、このような課題に鑑みてなされたものであり、折箱用枠の足クリにおいて、材料の変形、変色、煙もＣＯ2も発生しない、電力の消費も少ない、足クリ装置を提供する事を目的とする。
【課題を解決するための手段】
【０００６】
木製のベース型に任意な形状のナイフ状のカッター刃を埋め込んだ、いわゆるトムソン抜型と呼ばれるカッター刃の押し切りにより、発泡樹脂シートの折箱用枠の足クリすることを特徴とする足クリのカッター刃であり、請求項１記載の、カッター刃を使用することを特徴とする足クリ装置であり、発泡樹脂シートの折箱用枠を積み重ねておき、自動的に最下部の折箱用枠を一枚ずつ、シリンダ等で押し切り位置まで水平に押出し、その位置でカッター刃をシリンダ等で下降させ、押し切りすることを特徴とする請求項１、請求項２記載の足クリ装置である。
【発明の効果】
【０００７】
本発明は、折箱用枠の足クリにおいて、熱による材料の変形、変色、煙もＣＯ2も発生しない、電力の消費も少ない、しかも高能率という利点がある。
【図面の簡単な説明】
【０００８】
【図１】足クリし完成した折箱の図である。
【図２】足クリ以前と足クリ後の折箱用枠の図である。
【図３】足クリ用のタッター刃の図である。
【図４】閉図形の窓のある折箱の図である。
【発明を実施するための形態】
【０００９】
つぎに、本発明にかかる実施例について具体的に説明する。
【実施例１】
【００１０】
現在、駅弁等の食品容器に多く使用されている折箱の形は、高級感を持たせるため上げ底であり、神器の一つである三方あるいは三宝に似せて、図１のように作られているため、足と呼ばれる枠の下の部分を切り取る足クリが必要であり、またその製造のための装置も必要である。
【００１１】
その製造方法を説明すると、次のようになる。まず別の装置で発泡樹脂シートを細長く切り、それを幅方向に直角に３ヵ所の切り込みを入れ、図２の折箱用枠２を作る。
【００１２】
ストック部に折箱用枠２を数十枚積み重ね、その最下部からシリンダ等で一枚ずつ、所定の位置まで押し出す。
【００１３】
その位置で上方からカッター刃３が下降し、足と呼ばれる折箱用枠２の一部を切り取ると図３のようになる。そのためこの作業は足クリと呼ばれる。通常四角な折箱の場合、カッター刃２は２個または４個必要である。
【００１４】
折箱の姿が六角形の場合は最大６個、八角形の場合は最大８個、カッター刃２が必要になる。形に応じて必要な個数が決まる。
【００１５】
足クリ後の折箱用枠３と底板を組み立てると完成し、折箱１になる。
【００１６】
図４のような、従来の熱刃利用の足クリ装置では不可能である円形またはハート形のような閉図形の窓の形も、カッター刃２の形状をその形に作ると、本装置では可能である。
【００１７】
以上、本発明の実施の形態を説明したが、本発明の範囲は、これに限定されるものではなく、本発明の要旨を逸脱しない範囲において種々変更を加え得ることは勿論である。
【００１８】
また（なお）、本発明は上述の発明を実施するための最良の形態に限らず本発明の要旨を逸脱することなくその他種々の構成を採り得ることはもちろんである。
【００１９】
以上のことから、本実施例によれば、折箱の製造に、省エネで、ＣＯ2も発生しない、電力の消費も少ない、高能率な足クリ装置を提供できる。
【産業上の利用可能性】
【００２０】
折箱の製造に、省エネで、省エネで、ＣＯ2も発生しない、電力の消費も少ない、高能率な足クリ装置を提供できる。
【符号の説明】
【００２１】
１  足クリの折箱
２  足クリ以前の折箱用枠
３  足クリ後の折箱用枠
４  カッター刃
５  閉図形の窓のある折箱
【図１】
2013094887.tif 000003
【図２】
2013094887.tif 000004
【図３】
2013094887.tif 000005
【図４】
2013094887.tif 000006
(57)【要約】【課題】  今までの食用の海藻類の保存法には、採れたての鮮度を、長期間保つ方法がなく産地外、又輸送等に時間の掛かる地域では、新鮮な食用海藻は手にはいらない。【解決手段】  採れたての食用海藻を冷凍し、年間を通し、産地外及び輸送時間の掛かる地域へも、新鮮な海藻を提供する事が可能になる事を特徴とする。【特許請求の範囲】
【請求項１】
食用の生海藻等を、真空包装を施し急速冷凍により、鮮度、味、風味を保存する方法である。
【発明の詳細な説明】
【発明の詳細な説明】
食用の生の海藻等を真空包装、急速冷凍する事により、鮮度、味、風味、を採れ立てと同様の状態で、年度を通して出荷が可能と成る方法である。
【技術分野】
【０００１】この発明は、採れ立ての生の食用の海藻の鮮度と味、風味を、旬以外の時期に、産地外の地域に、提供が可能となる方法に関するものである。
【背景技術】
【０００２】従来の方法では、採れた食用の海藻を、そのまま乾燥、あるいは砂、塩、酢、醤油、調味料その他等で保存する方法がほとんどである。
【発明が解決しようとする課題】
【０００３】これには次のような欠点があった。
（イ）食用海藻の採れたての生の味、風味は旬の時期以外では味わえない。
（ロ）採れたての生の鮮度は、保存ができない。
（ハ）食用海藻の産地以外の消費地域では、採り立ての新鮮な生の味を楽しむ事ができない。
本発明はこれ等の問題点を解決する為のものである。
【課題を解決するための手段】
【０００４】食用海藻の取れたてを真空包装、急速冷凍する事により鮮度、風味、味は保たれ年間を通し、産地から、時間、距離的にも離れた消費地域への採れたて同様の新鮮海藻の安定供給が可能となる。
【発明を実施するための形態】
【０００５】  以下、本発明の実施の形態について説明する。
第１工程    食用海藻を採る。
第２工程    海水で洗う。
第３工程    洗った海藻の水気をきる。
第４工程    使用目的に沿って、必要な寸法に整える。
第５工程    使用目的によって、整えられた海藻の、大きさに応じパックにする。
第６工程    海藻のパックを冷凍する。
第７工程    冷凍庫に入れて出荷まで冷凍保存する。
「本発明は以上のような構造で、旬以外の時期でも産地以外の地域でも、これを使用すれば、採れ立同様の味、風味、を楽しむことができる。」
【第２実施の形態】
以下本発明の第２の実施の形態
第１工程    食用海藻を採る
第２工程    きれいな真水で洗う。
第３工程    洗った海藻の水気をきる。
第４工程    使用目的に沿って、必要な寸法に整える。
第５工程    使用目的によって、整えられた海藻の、大きさに応じパックする。
第６工程    海藻のパックを速やかに冷凍する。
第７工程    冷凍庫に入れて出荷まで冷凍保存する。
【第３実施の形態】
以下本発明の第３の実施の形態
第１工程    食用海藻を採る。
第２工程    きれいな真水で洗う。
第３工程    洗った海藻の水気をきる。
第４工程    使用目的に沿って、必要な寸法に整える。
第５工程    使用目的によって、整えられた海藻の、大きさに応じパックする。
第６工程    海藻のパックを速やかに冷凍する。
第７工程    冷凍庫に入れて出荷まで冷凍保存する。
【第４実施の形態】
以下本発明の第３の実施の形態
第１工程    食用海藻を採る。
第２工程    適度の強さでの気体を当て、海藻の水気をきる。
第３工程    使用目的に沿って、必要な寸法に整える。
第４工程    使用目的によって、整えられた海藻の、大きさに応じパックする。
第５工程    海藻のパックを速やかに冷凍する。
第６工程    冷凍庫に入れて出荷まで冷凍保存する。
【発明の効果】
【０００６】採れ立ての食用海藻の鮮度、味、風味、香りが真空包装、急速冷凍により年間を通して保たれ、産地外の地域でも、採れたて同様の鮮度のものを消費する事が可能となる。
(57)【要約】【課題】［００１１］  魚の脊髄を破壊することにより鮮度を保持することができる神経締め処理に際して、魚の外観を損ねず、脊柱を切断しないことにより魚が調理された際の美観を損ねず、骨を加工しないことにより力を要せず、魚体の内部に在る脊髄への到達経路を確保する。【解決手段】［００１２］  曲がり９を設けた管１８を用いて、眼窩２において平素は外観上死角となる結膜の奥まった部分３を貫き、眼球４と頭蓋骨５の隙間６を通し、脳の前方付近に在って脊柱の神経弓門７へとつながる頭蓋骨の孔８を通し、管の曲がり９を利用して、先端部１０が脊髄１１の方向を向くように、脊髄１１の前端部１２まで差し込む。曲がり９を設けた管１８の内部の穴１３により、脊髄１１への到達経路が確保される。【選択図】図１
2013094165.tif 000002
【特許請求の範囲】
【請求項１】
魚の神経締め処理に際しての脊髄への到達経路の確保において、眼窩から脊髄への到達経路を確保するための挿入管であって、曲がりを設けた管であることを特徴とする魚の神経締め処理経路確保用挿入管。
【発明の詳細な説明】
【技術分野】
【０００１】  本発明は、魚の脊髄を破壊することにより鮮度を保持することができる神経締め処理に際して、魚体の内部に在る脊髄への到達経路を確保する技術に関するものである。
【背景技術】
【０００２】  従来、魚の脊髄を破壊することにより鮮度を保持することができる神経締め処理が行われていた。神経締め処理の方法として、
（ア）形状記憶合金線を脊髄に刺し通す方法
（イ）脊髄を吸引する方法
があった。【０００３】  脊髄は魚体の内部に在るため、神経締め処理を行う際には、予め脊髄への到達経路を確保する必要があった。神経締め処理に際して脊髄への到達経路を確保する方法として、
（ウ）ナイフなどの刃物を用いて、尾を切断する、もしくは尾に切り込みを入れ、脊髄を      露出させる方法
（エ）ナイフなどの刃物を用いて、背や鰓口などから刃を入れ、脊柱の頭蓋骨との境目付      近を切断し、脊髄を露出させる方法
（オ）アイスピックなどの突き刺し用具を用いて、頭蓋骨の眉間部付近を貫いて誘導穴を      作る方法
があった。
【発明の概要】
【発明が解決しようとする課題】
【０００４】  しかし、神経締め処理に際して脊髄への到達経路を確保するこれらの方法は、
（カ）魚の外観を損ねる。
（キ）脊柱を切断することにより魚が調理された際の美観を損ねる。
（ク）骨を加工することにより力を要する。
のうち少なくとも一つの欠点があった。
本発明は、以上の欠点をすべて除くものである。
【課題を解決するための手段】
【０００５】  魚の神経締め処理に際しての脊髄への到達経路の確保において、眼窩から脊髄への到達経路を確保するための挿入管であって、曲がりを設けた管であることを特徴とする魚の神経締め処理経路確保用挿入管。【０００６】  本発明の使用方法を、図面を用いて説明する。
本発明１を用いて、
（ケ）眼窩２において平素は外観上死角となる結膜の奥まった部分３を貫き、
（コ）眼球４と頭蓋骨５の隙間６を通し、
（サ）脳の前方付近に在って脊柱の神経弓門７へとつながる頭蓋骨の孔８を通し、
（シ）管の曲がり９を利用して、先端部１０が脊髄１１の方向を向くように、脊髄１１の      前端部１２まで差し込む。
（ス）本発明１の内部の穴１３により、眼窩２から脊髄１１への到達経路を確保する。
というものである。こうしておいて、穴１３を眼窩２から脊髄１１への到達経路として神経締め処理を行えばよい。
【発明の効果】
【０００７】  従って本発明によれば、
（セ）魚の外観を損ねず、
（ソ）脊柱を切断しないことにより魚が調理された際の美観を損ねず、
（タ）骨を加工しないことにより力を要せず、
神経締め処理に際して脊髄への到達経路を確保することが出来る。
【図面の簡単な説明】
【０００８】
【図１】形状記憶合金線を脊髄に刺し通す神経締め処理方法に本発明を用いた状態を、模式的に説明した側面図。
【図２】形状記憶合金線を脊髄に刺し通す神経締め処理方法に本発明を用いた状態を、模式的に説明した平面図。
【図３】脊髄を吸引する神経締め処理方法に本発明を用いた状態を、模式的に説明した側面図。
【図４】脊髄を吸引する神経締め処理方法に本発明を用いた状態を、模式的に説明した平面図。
【図５】平素の魚を示す側面図。
【図６】図５に示す平素の魚のＡ−Ａ線に沿う断面を模式的に説明した断面図。
【図７】眼窩周辺の骨格と脊髄の構造を模式的に説明した斜視図。
【図８】本発明の斜視図。
【発明を実施するための形態】
【０００９】  先端部１０が斜めに切断された、例えばステンレス鋼で作られた管１８に、曲げ加工を施して曲がり９を設ければよい。曲がり９は、少なくとも本発明の使用方法を満足するなら、多点曲げや三次元曲げでもよい。
【符号の説明】
【００１０】１  本発明
２  眼窩
３  結膜の奥まった部分
４  眼球
５  頭蓋骨
６  隙間
７  神経弓門
８  頭蓋骨の孔
９  曲がり
１０  先端部
１１  脊髄
１２  前端部
１３  穴
１４ａ，１４ｂ，１４ｃ，１４ｄ，１４ｅ，１４ｆ  骨格の内壁
１５  形状記憶合金線
１６  吸引装置
１７  ホース
１８  管
【図１】
2013094165.tif 000003
【図２】
2013094165.tif 000004
【図３】
2013094165.tif 000005
【図４】
2013094165.tif 000006
【図５】
2013094165.tif 000007
【図６】
2013094165.tif 000008
【図７】
2013094165.tif 000009
【図８】
2013094165.tif 000010
(57)【要約】【課題】清潔な空間を必要とする部屋でこの装置を使って翅をもった虫を捕獲し、清潔な環境を維持するために掃除機を利用した掃除機捕虫器を提供する。【解決手段】小型電動掃除機（７）を利用する。多種のサイズの掃除機吸い込み口に対応するため特製の伸縮性があるゴムの材料で接続する掃除機取り付け用具（８）を造った。虫を外に逃がさない為の弁を付けた掃除機取り付け用具（８）に掃除機（７）を固定する。又その前面に電灯（５）、センサ（６）、時限タイマ（４）を付けたことを特徴とする。【選択図】図１
2013094164.tif 000002
【特許請求の範囲】
【請求項１】
以下、本発明を実施するための形態について説明する。
小型電動掃除機の吸入口を特製の掃除機取り付け用具（８）に固定する。
又その前面に電灯（５）とセンサ（６）、時限タイマ（４）を設置する。
【発明の詳細な説明】
【技術分野】
【０００１】この発明は、電灯に集まった虫を市販の小型電動掃除機を利用して掃除機取り付け用具に固定した、センサと時限タイマを使った掃除機捕虫器に関するものである。
【背景技術】
【０００２】従来の翅をもった虫の捕獲は、虫の動きに殆んど依存した捕獲であった。
【先行技術文献】
【０００３】
【特許文献１】
【非特許文献１】
【発明の概要】
【発明が解決しようとする課題】
【０００４】従来の捕獲器の多くが虫の動きを利用する捕獲で効果が充分でなかった。
本発明は、以上のような欠点をなくすためになされたものである。
【課題を解決するための手段】
【０００５】屋内等に侵入した虫を集めるために電灯（５）を点ける。集まった虫は小型電動掃除機（７）で吸い取る。小型電動掃除機（７）は外に出られなくする弁を付けた掃除機取り付け用具（８）に固定する。また小型電動掃除機（７）は効率よく作動させるためにセンサ（６）と時限タイマ（４）を利用する。本発明は、以上の構成よりなる掃除機捕虫器である。
【発明の効果】
【０００６】（イ）掃除機の起動にセンサや時限タイマを使ったことで虫を効率よく捕獲することが出来る。
（ロ）掃除機取り付け用具を作成したことで多種の掃除機吸い込み口の口径ににあうようになる。
【図面の簡単な説明】
【０００７】
【図１】  本発明の各器具の配置図である。
【図２】  本発明の電気配線図である。
【図３】  本発明の掃除機取り付け用具である。
【図４】  本発明の掃除機取り付け用具である。
【発明を実施するための形態】
【０００８】以下、本発明を実施するための形態について説明する。
小型電動掃除機（７）の吸入口を特製の掃除機取り付け用具（８）に固定する。又その前面に電灯（５）とセンサ（６）、時限タイマ（４）を設置する。
電灯（５）はケミカルランプで市販の小型のものである。整流器（１）、センサ（６）、タイマ（４）は市販のものである。
以上ものを図１のように配置する。
本装置を天井近くに設置して電源を入れる。捕獲された虫は随時処分する。
【符号の説明】
【０００９】１  整流器          時限タイマ．センサの電源用
（６Ｖ．２４Ｖ）
２  コンセント      ＡＣ１００Ｖ配線用
３  電源スイッチ    ＡＣ１００Ｖのスイッチ
４  時限タイマ      スタートスイッチでリレーＯＮ、一定時間（１〜１０００秒）後にＯＦＦとなる。
５  電灯            虫が集まる光を出すケミカルランプ（ＦＬ４ＢＬ）
６  センサ          ハエや蛾等の虫がセンサの光を横切ることに反応をすることを利用して掃除機の電源を自動で入れる為に使用する。比較的に安価で高性能であるファイバセンサを使用する。
７  小型電動掃除機  市販の低騒音で小型の電動掃除機
８  掃除機取り付け用具
多種のサイズの掃除機吸い込み口に対応するため伸縮性があるゴム等の材料で接続する道具を造った。捕獲した虫を外に逃がさない為の弁を付けた掃除機取り付け用具である。
【図１】
2013094164.tif 000003
【図２】
2013094164.tif 000004
【図３】
2013094164.tif 000005
【図４】
2013094164.tif 000006
(57)【要約】【課題】  本発明は、ペットケージを前後左右に並べて連結させることで、ペットケージを広く使用可能となる。また上下に連結することで、複数のペットを同じ広さの場所で飼う事が可能とするペットケージの構造の発明である。【解決手段】図１背面ｂの折り曲げ面１，２，３，４と図２前面ａの折り曲げ面５，６，７，８を使用し、図６のようにペットケージＡとペットケージＣを上下に連結可能。また図７のようにペットケージＡとペットケージＣを並べて連結可能。図３のように左側面パネルｄ・右側面パネルｆを取り付けることが可能。また、図６のように天板ｈを取り付け可能。図５のようにペットケージＡとペットケージＤを連結する場合は連結パーツｇを使用し長さを伸ばすことも可能【選択図】図１
2013094159.tif 000002
【特許請求の範囲】
【請求項１】
このペットケージの構造の基本となるのが、前面ａと背面ｂである。背面ｂは１枚の平板の四隅をカットし、板４箇所をペットケージ内側に９０°曲げた構造である。この折り曲げ面を図１の面１，２，３，４とし、また前面ａも同様にケージ内側に９０°曲げこの折り曲げ、面５，６，７，８とする。この折り曲げ面１，２，３，４，５，６，７，８を用いることでペットケージとペットケージの連結および図９天板ｈ、図１０の格子パネルｄ、格子パネルｆ取り付け可能となる。
【請求項２】
図６のようにペットケージ２台を上下に連結する場合、背面ｂと前面ａの折り曲げ面を使用することで上下に連結が可能。
【請求項３】
図７のようにペットケージ２台を並べて連結する場合、背面ｂと前面ａの折り曲げ面を使用することで並べて連結が可能。
【請求項４】
図４のペットケージＡの背面ｂとペットケージＤの背面ｂを外しの間に図８の連結パーツｇを図４のように間に挟むことで図５のように縦方向に延長可能
【請求項５】
折り曲げた部分・ネジ穴の規格・ネジ穴の間隔はすべて共通規格とし、左側面パネルｄ・右側面パネルｆ・天板ｈを取り付け可能。
【発明の詳細な説明】
【技術分野】
【０００１】この発明は、ペットケージをニーズに合わせ拡張可能に作り上げた、ペットケージの構造に関するものである。
【発明の概要】
【発明が解決しようとする課題】
【０００２】一般的な連結可能ペットケージは、横に並べて連結、上方向のみに連結していくペットケージはあるが、本発明のペットケージは、ユーザーの任意により上方向、横並び、前後と連結する選択肢が多くライフスタイルに合わせてペットケージを連結することが可能となっている。
【課題を解決するための手段】
【０００３】このペットケージの構造の基本となるのが、前面ａと背面ｂである。背面ｂは１枚の平板の四隅をカットし、板４箇所をペットケージ内側に９０°曲げた構造である。この折り曲げ面を図１の面１，２，３，４とし、また前面ａも同様にケージ内側に９０°曲げこの折り曲げた面を面５，６，７，８とする。この折り曲げ面１，２，３，４，５，６，７，８を用いることでペットケージとペットケージの連結および図９天板ｈ、図１０の格子パネルｄ、格子パネルｆ取り付け可能となる。
【発明の効果】
【０００４】図６のようにペットケージＡとペットケージＢを積み重ね同時に複数のペットを狭いスペースで飼うことが可能。図７のようにペットケージＡとペットケージＣを並べることで、ペットケージ内を広く使うことができる。また図８にある連結パーツｇを図４のように間に使用することで図５のような拡張も可能。
【図面の簡単な説明】
【０００５】
【図１】本発明のペットケージの構造の斜視図です。
【図２】本発明のペットケージの構造の別視点からの斜視図です。
【図３】本発明の構造に左側面パネルｄと右側面パネルｆとトレーｅを取り付けた斜視図です。
【図４】本発明のペットケージＡとペットケージＤを連結させるための連結パーツｇを間に置いた斜視図です。
【図５】本発明の構造にペットケージＡとペットケージＤに連結パーツｇを取り付けた斜視図です。
【図６】本発明のペットケージＡとペットケージＢを上下に連結した斜視図です。
【図７】本発明のペットケージＡとペットケージＣを並べて連結した斜視図です。
【図８】本発明の連結パーツｇの斜視図です。
【図９】天板ｈの正面図です。
【図１０】格子パネルｄおよび格子パネルｆの共通の正面図です。
【発明を実施するための形態】
【０００６】以下、本発明の実施の形態について、図面を参照しつつ詳細に説明すれば、
図１の折り曲げ面１，２，３，４にあるネジ穴１０，１１，１２，１３  図２折り曲げ面５，６，７，８にあるネジ穴９，１４，１５，１６、を使用してねじ固定することで、図３のように左側面パネルｄや右側面パネルｆ、図６のように天板ｈを取り付けることが可能、ネジ穴の間隔および折り曲げ面の面積は共通である。
【０００７】図４のように、ペットケージＡの背面ｂを外し、ペットケージＤの背面ｂ外し、図８連結パーツｇを図４のようにペットケージＡとペットケージＤの間に使用することで、図５のようにペットケージの拡張が可能となる。
【０００８】図８連結パーツｇは折り曲げ面は、１から８と同じサイズ・形状とし、１つの折り曲げ面を図８のように、２箇所つけることでペットケージＡとペットケージＤを連結可能となる。
【０００９】図６のように、上下に連結する場合ペットケージＡの図１の折り曲げ面４のネジ穴１２と図２の折り曲げ面８のネジ穴１５を、ペットケージＢの図１の折り曲げ面２のネジ穴１０と図２の折り曲げ面６のネジ穴９をそれぞれネジにて固定することで連結が可能。
【００１０】図７のように、並べて連結する場合ペットケージＡの図１の折り曲げ面１のネジ穴１３と図２の折り曲げ面５のネジ穴１４を、ペットケージＣの図１の折り曲げ面３のネジ穴１１と図２の折り曲げ面７のネジ穴１６をそれぞれネジにて固定することで連結が可能。
【符号の説明】
【００１１】１  折り曲げ面
２  折り曲げ面
３  折り曲げ面
４  折り曲げ面
５  折り曲げ面
６  折り曲げ面
７  折り曲げ面
８  折り曲げ面
９  ネジ穴
１０  ネジ穴
１１  ネジ穴
１２  ネジ穴
１３  ネジ穴
１４  ネジ穴
１５  ネジ穴
１６  ネジ穴
１７  連結パーツ取り付け面
１８  連結パーツ取り付け面
１９  連結パーツ取り付け面
２０  連結パーツ取り付け面
２１  天板ネジ穴
２２  天板ネジ穴
２３  格子パネルネジ穴
２４  格子パネルネジ穴
ａ  前面
ｂ  背面
ｃ  柱
ｄ  左側面パネル
ｅ  トレー
ｆ  右側面パネル
ｇ  連結パーツ
ｈ  天板
Ａ  ペットケージ
Ｂ  ペットケージ
Ｃ  ペットケージ
Ｄ  ペットケージ
【図１】
2013094159.tif 000003
【図２】
2013094159.tif 000004
【図３】
2013094159.tif 000005
【図４】
2013094159.tif 000006
【図５】
2013094159.tif 000007
【図６】
2013094159.tif 000008
【図７】
2013094159.tif 000009
【図８】
2013094159.tif 000010
【図９】
2013094159.tif 000011
【図１０】
2013094159.tif 000012
(57)【要約】      （修正有）【課題】二酸化炭素を減らすためにてこ棒と滑車を組み合わせて電動の力で動く様にする。【解決手段】同じ長さのてこ棒を二本使用するてこ棒の軸は引き上げると回転し引き下げると空回転できる様にするこれで軸の回転運動ができるてこ棒の先端に動滑車を取り付ける真上に空間をとり定滑車を取り付ける定滑車と動滑車にワイヤーロープを取り付ける定滑車に掛けたワイヤーロープを右のクランクシャフトに取り付け左のクランクシャフトに別の定滑車のワイヤーロープを取り付けるこのクランクシャフトを直流モーターで回転させる事でクランクシャフトが定滑車のワイヤーロープを左右交互に引き上げ引き下げを繰り返すことで定滑車のワイヤーロープが動滑車を上下運動をさせててこ棒の軸の回転運動ができるこの軸の大きな回転力で発電機を回転させて発電する発電した電気をバッテリーに充電する充電したバッテリーの電気で直流モーターを回転させる。【選択図】図１
2013094039.tif 000002
【特許請求の範囲】
【請求項１】
同じ長さのてこ捧を二本使用するてこ棒の軸は引き上げると回転し引き下げると空回転できる様にするこれで軸の回転運動ができるてこ棒の先端に動滑車を取り付ける真上に空間をとり定滑車を取り付ける定滑車と動滑車にワイヤーロープを取り付ける定滑車に掛けたワイヤーロープを右のクランクシャフトに取り付け左のクランクシャフトに別の定滑車のワイヤーロープを取り付けるこのクランクシャフトを直流モーターで回転させる事でクランクシャフトが定滑車のワイヤーロープを左右交互に引き上げ引き下げを繰り返すことで定滑車のワイヤーロープが動滑車を上下運動をさせててこ棒の軸の回転運動ができるこの軸の大きな回転力で発電機を回転させて発電する発電した電気をバッテリーに充電する充電したバッテリーの電気で直流モーターを回転させる又この大きな回転力を動力源にする。
「以上の構成からなることを特徴とするてこ棒と滑車を組み合わせた電動エンジン。」
【請求項２】
同じ長さのてこ棒を四本六本と増やして使用するてこ棒の軸は全本引き上げると回転し引き下げると空回転できるようにするこれでてこ棒の軸の回転運動ができる全本が同じ回転方向になる様にして一本の軸棒（同軸）に取り付けるてこ棒の先端に動滑車を取り付ける真上に空間をとり定滑車を取り付ける定滑車と動滑車にワイヤーロープを取り付ける定滑車に掛けたワイヤーロープを右のクランクシャフトに取り付け左のクランクシャフトに片方の定滑車のワイヤーロープを取り付ける三番目の定滑車のワイヤーロープを二ケ目のクランクシャフトの右に取り付け四番目の定滑車のワイヤーロープを左のクランクシャフトに取り付けるこのように二つの定滑車のワイヤーロープを一つのクランクシャフトで左右交互に引き上げ引き下げを繰り返してこ棒の軸棒を回転させる数個のクランクシャフトを一台の直流モーターで回転できるようにするてこ棒全本の軸の回転力が一本の軸棒に結集する事で大きな回転力が生まれるこの大きな回転力を動力にする。
「以上の構成からなることを特徴とするてこ棒と滑車を組み合わせた電動エンジン。」
【発明の詳細な説明】
【技術分野】
【０００１】  本発明は、てこ棒と滑車を組み合わせ回転運動ができる様にする事でてこ棒の力と滑車の力が組み合わさり軸に大きな回転力が生まれるため電動の力で動力を生み出すことができる。
【背景技術】
【０００２】  従来から、てこの力、滑車の力を利用したものは多くあるがいずれも単独の利用であり、てこ棒と滑車を組み合わせて回転運動させたものは見当たらない。
【発明を解決するための手段】
【０００３】  同じ長さのてこ棒を二本使用するてこ棒の軸は引き上げると回転し引き下げると空回転できる様にするこれで軸の回転運動ができるてこ棒の先端に動滑車を取り付ける真上に空間をとり定滑車を取り付ける定滑車と動滑車にワイヤーロープを取り付ける定滑車に掛けたワイヤーロープを右のクランクシャフトに取り付け左のクランクシヤフトに別の定滑車のワイヤーロープを取り付けるこのクランクシャフトを直流モーターで回転させる事でクランクシャフトが定滑車のワイヤーロープを左右交互に引き上げ引き下げを繰り返すことで定滑車のワイヤーロープが動滑車を上下運動をさせててこ棒の軸の回転運動ができるこの軸の大きな回転力で発電機を回転させて発電する発電した電気をバッテリーに充電する充電したバッテリーの電気で直流モーターを回転させる又この大きな回転力を動力源にする。
「以上の構成からなることを特徴とするてこ棒と滑車を組み合わせた電動エンジン。」
【図面の簡単な説明】
【０００４】
【図１】  全体図  てこ棒と滑車を組み合わせ回転運動ができる様にすることでてこ棒の力と滑車の力が組み合わされてこ棒の軸に大きな回転力が生まれるために動力で動かすことができる様にした工程図。
【符号の説明】１てこ棒
２てこ棒の軸
３引き上げると回転
４引き下げると空回転
５ワイヤーロープ
６定滑車
７動滑車
８右のクランクシャフト
９左のクランクシャフト
１０回転
１１車輪
１２クランクシャフト
１３直流モーター
１４発電機
１５バッテリー
１６バッテリーに充電
１７上下運動
１８動力
１９バッテリーの電気で直流モーターを回転させる
【図１】
2013094039.tif 000003
(57)【要約】【課題】突っ張り棒の両端はずれ易く、接地面に傷や跡をつけてしまうことがある。突っ張り棒の両端をより安定させ、また突っ張り棒の両端の接地面に傷や跡がつかないよう保護することを課題とする。【解決手段】突っ張り棒キャッチャーを壁等の接地面と突っ張り棒の間に挟むことで、接地面にかかる圧力が分散されて接地面に傷や跡がつきにくくなる。また中心の窪みがあることにより、突っ張り棒の両端がずれにくく、安定性が高まる。【選択図】図１
2013000478.tif 000002
【特許請求の範囲】
【請求項１】
突っ張り棒と接地面の間に挟んで使用する、滑らない素材で中心に窪みのあることを特徴とする用具。
【請求項２】
本体の中心に向かって段階的に深くなる窪みがあることを特徴とする、請求項１記載の用具。
【発明の詳細な説明】
【技術分野】
【０００１】
本発明は、突っ張り棒により安定感を与え、その働きを補助する用具に関する。
【背景技術】
【０００２】
従来の突っ張り棒は、様々な幅に合わせて伸縮させ、設置することが出来るため大変便利であるが、その両端の接地面の壁・クロス等に傷をつける可能性がある。また両端の接地面積の狭さから、安定感に欠けるものである。
【先行技術文献】
【特許文献】
【０００３】
【特許文献１】特開２００１−１１２６０２号公報
【発明の概要】
【発明が解決しようとする課題】
【０００４】
解決しようとする問題点は、突っ張り棒の両端に安定感がなく、また両端の接地面の壁等に傷や跡をつける可能性がある点である。
そこで突っ張り棒の両端をより安定させ、また両端の接地面を保護することを課題とする。
【課題を解決するための手段】
【０００５】
以上の課題を解決するために、第一発明は、中心に窪みのある、突っ張り棒と接地面との間に挟み込むための用具である。
また、第二発明は、中心の窪みに段階をつけ、数種類の突っ張り棒の太さに対応できることを特徴とする用具である。
【発明の効果】
【０００６】
第一発明、または第二発明によれば、接地面にかかる圧力が分散され傷や跡がつきにくくなる。また中心の窪みがあることにより、突っ張り棒の両端がずれにくく、安定性が高まる。
【図面の簡単な説明】
【０００７】
【図１】この発明の一実施形態を示す断面図である。
【図２】この発明の一実施形態を示す斜視図である。
【図３】この発明の他の実施形態を示す斜視図、断面図である。
【発明を実施するための形態】
【０００８】
この発明の一実施形態を図１に示す。
この突っ張り棒キャッチャーの本体は、滑りにくく、ゴムやシリコンなどのように柔軟性を持つ素材である。中心には窪みがあり、中心に向かって段階的に窪みが深くなっている構造である。突っ張り棒を設置する際に、突っ張り棒の端が、突っ張り棒キャッチャーの窪みに合うように、接地面との間に挟み込む。
【０００９】
図１の実施形態では窪みの段階は２段階であるが、図３の他の実施形態のように、窪みは３段階以上あっても、１段階のみでも良い。
【産業上の利用可能性】
【００１０】
突っ張り棒の性能を手助けするだけでなく、突っ張り棒キャッチャーの色やデザイン性により、様々な使用環境に適応して突っ張り棒の付加価値やインテリア性を高める。
【符号の説明】
【００１１】
１    突っ張り棒キャッチャー本体
２    窪み段階１
３    窪み段階２
４    突っ張り棒
５    接地面
【図１】
2013000478.tif 000003
【図２】
2013000478.tif 000004
【図３】
2013000478.tif 000005
(57)【要約】【課題】非常時に利用して便利なる食品を提供する。【解決手段】発芽玄米微粉末に対し米油を容積比５パーセントから１５パーセントの範囲内にて配合し、水とともに炊きあげたことを特徴とする。【特許請求の範囲】
【請求項１】
発芽玄米微粉末に対し米油を容積比５パーセントから１５パーセントの範囲内にて配合し、水とともに炊きあげたことを特徴とする非常時用ライスペースト。
【請求項２】
水の配合を、発芽玄米容積に対し、容積比にて２倍から３倍の範囲としてなる請求項１記載の非常時用ライスペースト。
【発明の詳細な説明】
【技術分野】
【０００１】  この発明は、災害時等の非常時に用いて便利なるライスペーストに関する。
【背景技術】
【０００２】  従来より、種々の食品が災害時に利用されているが、本発明にて示すようなライスペーストは見あたらない。
【発明の開示】
【発明が解決しようとする課題】
【０００３】  災害発生等による非常時には、身の安全のための避難が避けられない。一般的には学校の体育館などが避難場所としてよく利用される。非常時にても生活のための種々のことが必要であり、中でも飲食は最重要事の一つである。
従来より、カンパンやおにぎりなどが非常時の主食用として利用されてきたが、これらの食品を食するときは他に水分が必要であり、また長期保存には適さず、残ったこれらの食品の保存に苦慮するものである。インスタント麺などでは食する際に熱湯が必要であり、その準備が不能の場合も多く、長期保存に適するとともに、水や熱を必要としない非常用の食品が求められている。
本発明は以上に鑑み、非常時に特別な準備を必要とせず、誰でも簡単に摂取できる食品を提供することを目的として発明されたものであり、長期保存化も可能なる食品を得ることのできるものとして開発されたものである。
【課題を解決するための手段】
【０００４】  課題を解決する手段として本発明は以下の構成とした。
すなわち、発芽玄米微粉末に対し米油を容積比５パーセントから１５パーセントの範囲内にて配合し、水とともに炊きあげる。本発明は以上の構成よりなる非常時用ライスペーストである。
【発明の効果】
【０００５】  本発明によれば、栄養に富む発芽玄米を微粉末とし、米油とともに水にて炊きあげてペースト状とし、これをチューブ等に加熱殺菌して充填することにて、避難所にては他の食器や用具を用いずとも、だれでも簡便に食することのできる、有用なる食品を提供することができる。また、水分を多く含むために水分も同時に摂取することができ、日本人主食の米を用いた食品であって、嗜好性にも問題のない食品を得ることができる。
【発明を実施するための最良の形態】
【０００６】  以下、本発明の実施形態について説明する。
本発明によるライスペーストの材料は、発芽玄米と米油である。
製法は、まず発芽玄米を微粉末に加工し、容積比において発芽玄米１に対し水２．５ほどの割合で混合する。さらに、米油を米粉に対し容積比において、５パーセントから１５パーセントの範囲内にて添加し、攪拌後通常の炊飯と同様に炊きあげる。米微粉末のため、一般の米のような炊きあげ後の蒸らしは必要としない。炊きあげ時間はおよそ２０分程度である。仕上がった状態は、いわゆるやわらかめのつきたての餅程度の流動性を有するものとなる。このままでは非常食として適さないので、殺菌済みの軟質合成樹脂製の容器に充填する。この容器としては、変形性と復元性に富むものが好ましく、例えばマヨネーズやケチャップの容器的なものが適当である。これらの容器は耐久性と変形性に富み、キャップを外して口にあてがい、容器押圧変形にて内容物が押し出されて食することができる。この容器は安価に制作でき、ショックにも強く、食器等も必要なくだれでも簡単に利用することができる。【０００７】  発芽玄米は、玄米を約１〜２日程度、３２度前後のぬるま湯に浸し、１ミリメートルほどの芽が出た状態にしたものである。この発芽玄米は発芽時の酵素の働きで、玄米に元々含まれていた栄養成分が増加し、炊飯に手間を要する玄米と異なり、白米と同じように炊くことができるが、本発明ではこの発芽玄米をさらに微粉化しており、加工時間が短縮される。この発芽玄米は白米に含有されないビタミンＢ１やミネラルを豊富に含んでいる。
また、普通の玄米より消化吸収性に優れて甘みが多く感じられ、比較的口にしやすい食品である。さらに、血圧上昇を抑制するガンマアミノ酪酸が玄米より多く、白米の約１０倍程度含有しているとされる。主成分としては、炭水化物、食物繊維、カルシウム、ビタミンＢ１、ビタミンＥ、脂質、ナトリウム、ガンマオリザノール、マグネシウム、カリウム、亜鉛などである。【０００８】  一方、米油は玄米を精製した副産物である米ぬかより抽出された成分である。
この米油は、ビタミンＥを多く含有し、またオレイン酸の含有比率も高い。
この米油は血中コレステロールを下げる効果が植物油で最も高い。この発芽玄米と米油双方とも米関連の材料であるため、その親和性も良好であり、これら双方の素材のブレンドにて栄養価値的にも優れた食品を得ることができる。災害時はその環境からも簡易性が求められ、本発明によるライスペーストは他の食器や用具を必要とせず、日本人の主食である米関連の食品であって、嗜好性の問題もなく適度の流動性を有して、歯の不自由な方でも容易に食することができ、利用しやすい形態の食品ということができる。また、充填前の殺菌を十分に行うことにて、長期保存性も向上するものとなる。【０００９】  以上、本発明について記したが、本発明は非常時用の食品として発明されたもので、その主眼とするところは、熱、水、電力、調理器具、食器、スプーンや箸などを一切必要とせず、だれでも簡単に栄養価の高い食品を摂取することであり、また流動食のために歯のない人でも食することができる非常用の食品を提供することにある。
従来はカンパンやおにぎり、インスタント食品などが非常時の主食用として多用されてきたが、食するときに熱や水が必要となり、その準備に手間取ったり、無理があることが多い。しかるに本発明品はこのような場合において、既述のごとくすみやかに食することができるのである。本発明の提供時においては、何らかの容器に収めて提供することが必要で、既述のごとく殺菌したマヨネーズ容器的なものに充填して提供することになる。
この容器形態では、容器を押し出して簡単に食することができ、米油を含有してなめらかに押し出すことができる。なお、本品は主食用のため、味付けは不要である。
なお、例示では米粉１に対し２．５の比率の水を加えて炊きあげるものとしたが、この比率範囲は２倍から３倍の範囲が適当である。以上のごとく、本発明にて非常時に有効なる食品を得ることができる。
(57)【要約】【課題】液体を輸送するための容器で、用途は多様であるが一般に農業用に使われるタンク又は水槽（以下、農業用タンクと呼ぶ）に水液を溜めて、動力噴霧器等のストレーナーを用いて水液を利用するとき、タンク底部に残った水液を釜場に集め、動力噴霧器等のストレーナーをこの釜場に設置することでほとんどの水液を排出できるようにした釜場付き農業用タンクを提供する。【解決手段】農業用タンク（１）の底部に釜場（２）を設けた釜場付き農業用タンクを特徴とする。【選択図】図１
2013000119.tif 000002
【特許請求の範囲】
【請求項１】
液体を輸送するための容器で、用途は多様であるが一般に農業用に使われるタンク又は水槽（以下、農業用タンクと呼ぶ）（１）の底部に釜場（２）を設けた釜場付き農業用タンク。
【発明の詳細な説明】
【技術分野】
【０００１】この発明は、液体を輸送するための容器で、用途は多様であるが一般に農業用に使われるタンク又は水槽（以下、農業用タンクと呼ぶ）の底部に釜場を設けた釜場付き農業用タンクに関するものである。
【背景技術】
【０００２】従来、農業や造園業等で使う農業用タンクに釜場がなかった。
【先行技術文献】
【０００３】
【特許文献１】
【非特許文献１】
【発明の概要】
【発明が解決しようとする課題】
【０００４】これは、次のような欠点があった。
従来、農業用タンクは水液を溜めて、動力噴霧器等のストレーナーを用いてその水液を利用するが、動力噴霧器等のストレーナーを用いる場合には一定水位以下の水液が排出できないので困ることが多かった。
本発明は、以上のような欠点をなくすためになされたものである。
【課題を解決するための手段】
【０００５】農業用タンク（１）の底部に釜場（２）を設ける。
本発明は、以上の構成によりなる釜場付き農業用タンクである。
【発明の効果】
【０００６】農業用タンク底部に釜場があるので、タンク底部に残った水液は釜場に集まる。
動力噴霧器等のストレーナーをこの釜場に設置することでほとんどの水液を排出できる。無駄な水液がなくなるのでコスト面での節約効果がある。
【図面の簡単な説明】
【０００７】
【図１】本発明の斜視図である。
【図２】本発明のＡ−Ａ断面図である。
【図３】本発明の釜場（２）部分の拡大図、ストレーナー（３）を設置した例である。
【発明を実施するための形態】
【０００８】以下、本発明を実施するための形態について説明する。
農業用タンク（１）の底部に大きさ２０ｃｍ程度の角又は丸、深さ１０ｃｍ程度の釜場（２）を設ける。本発明は、以上のような構造である。
タンク底部の水液は釜場（２）に集まるので、動力噴霧器等のストレーナー（３）をこの釜場に設置することでほとんどの水液を排出できる。
【符号の説明】
【０００９】１  農業用タンク
２  釜場
３  動力噴霧器等のストレーナー
【図１】
2013000119.tif 000003
【図２】
2013000119.tif 000004
【図３】
2013000119.tif 000005